(57)【要約】【課題】目的に応じて異なる量の湯を浴槽に供給することができ、利便性の高い水量制御装置を提供する。【解決手段】浴槽２００に供給する温泉の量を制御する水量制御装置１００であって、少なくとも、浴槽２００に第１の量の温泉を供給する第１のモードと、浴槽２００に第１の量とは異なる第２の量の温泉を供給する第２のモードと、を有する制御部１２０を備える。そして、選択されたモードに対応した量の温泉を浴槽２００に供給する。【選択図】図１
0003197152.tif 000002
【実用新案登録請求の範囲】
【請求項１】
浴槽に供給する湯の量を制御する水量制御装置であって、
少なくとも、
前記浴槽に第１の量の前記湯を供給する第１のモードと、
前記浴槽に第１の量とは異なる第２の量の前記湯を供給する第２のモードと、を有する制御部を備えることを特徴とする水量制御装置。
【請求項２】
前記浴槽に前記湯を供給する供給経路の途中に配置された弁を有し、
前記制御部は、前記弁の開閉を制御することで前記浴槽に供給される前記湯の量を制御する請求項１に記載の水量制御装置。
【請求項３】
前記制御部は、前記第１の量とするために前記弁を開いておく第１の時間と、前記第２の量とするために前記弁を開いておく第２の時間と、を記憶する記憶部を有している請求項２に記載の水量制御装置。
【請求項４】
前記第１の時間および前記第２の時間は、前記弁を開いたときに前記供給経路から前記浴槽に供給される単位時間当たりの前記湯の量と、前記浴槽の形状とに基づいて設定される請求項３に記載の水量制御装置。
【請求項５】
前記第１の時間および前記第２の時間を変更する変更手段を有する請求項３または４に記載の水量制御装置。
【請求項６】
前記第１のモードまたは前記第２のモードを選択する選択部を有する請求項１ないし５のいずれか１項に記載の水量制御装置。
【請求項７】
前記選択部は、前記第１のモードまたは前記第２のモードを選択する操作部を有する請求項６に記載の水量制御装置。
【請求項８】
前記選択部は、選択したモードを報知する報知部を有する請求項６または７に記載の水量制御装置。
【請求項９】
前記湯は、温泉である請求項１ないし８のいずれか１項に記載の水量制御装置。
【考案の詳細な説明】
【技術分野】
【０００１】
本考案は、水量制御装置に関するものである。
【背景技術】
【０００２】
例えば、特許文献１には、所定の水位まで自動的に湯張りする自動風呂装置が開示されている。このような自動風呂装置では、ユーザーが好みの水位を設定することができ、設定された水位となるように水位が調整されるようになっている。しかしながら、特許文献１の自動風呂装置では、好みの水位を１つしか設定できないので、例えば、普段とは違う水位としたい場合には、水位の設定をし直さなくてはならない。そのため、使い勝手が悪いという問題がある。
【先行技術文献】
【特許文献】
【０００３】
【特許文献１】特開２０１２−７８０６８号公報
【考案の概要】
【考案が解決しようとする課題】
【０００４】
本考案の目的は、目的に応じて異なる量の湯を浴槽に供給することができ、利便性の高い水量制御装置を提供することにある。
【課題を解決するための手段】
【０００５】
このような目的は、下記（１）〜（９）の本考案により達成される。
（１）  浴槽に供給する湯の量を制御する水量制御装置であって、
少なくとも、
前記浴槽に第１の量の前記湯を供給する第１のモードと、
前記浴槽に第１の量とは異なる第２の量の前記湯を供給する第２のモードと、を有する制御部を備えることを特徴とする水量制御装置。
【０００６】
（２）  前記浴槽に前記湯を供給する供給経路の途中に配置された弁を有し、
前記制御部は、前記弁の開閉を制御することで前記浴槽に供給される前記湯の量を制御する上記（１）に記載の水量制御装置。
【０００７】
（３）  前記制御部は、前記第１の量とするために前記弁を開いておく第１の時間と、前記第２の量とするために前記弁を開いておく第２の時間と、を記憶する記憶部を有している上記（２）に記載の水量制御装置。
【０００８】
（４）  前記第１の時間および前記第２の時間は、前記弁を開いたときに前記供給経路から前記浴槽に供給される単位時間当たりの前記湯の量と、前記浴槽の形状とに基づいて設定される上記（３）に記載の水量制御装置。
【０００９】
（５）  前記第１の時間および前記第２の時間を変更する変更手段を有する上記（３）または（４）に記載の水量制御装置。
【００１０】
（６）  前記第１のモードまたは前記第２のモードを選択する選択部を有する上記（１）ないし（５）のいずれかに記載の水量制御装置。
【００１１】
（７）  前記選択部は、前記第１のモードまたは前記第２のモードを選択する操作部を有する上記（６）に記載の水量制御装置。
【００１２】
（８）  前記選択部は、選択したモードを報知する報知部を有する上記（６）または（７）に記載の水量制御装置。
【００１３】
（９）  前記湯は、温泉である上記（１）ないし（８）のいずれかに記載の水量制御装置。
【考案の効果】
【００１４】
本考案によれば、第１のモードおよび第２のモードから１を選択することで、目的に合わせて浴槽内の湯の量を簡単に制御することができる。そのため、優れた利便性を有する水量制御装置となる。特に、湯を温泉（お湯を含む）とすれば、温泉旅館等の宿泊施設に設置される個人用の風呂場に適用することができる。
【図面の簡単な説明】
【００１５】
【図１】本考案の好適な実施形態に係る水量制御装置を示す構成図である。
【図２】図１に示す水量制御装置が有する制御部を示す平面図である。
【図３】図１に示す水量制御装置が有する選択部を示す平面図である。
【考案を実施するための形態】
【００１６】
以下、本考案の水量制御装置を添付図面に示す実施形態に基づいて詳細に説明する。
図１は、本考案の好適な実施形態に係る水量制御装置を示す構成図である。図２は、図１に示す水量制御装置が有する制御部を示す平面図である。図３は、図１に示す水量制御装置が有する選択部を示す平面図である。
【００１７】
図１に示す水量制御装置１００は、浴槽に供給する湯の量を制御することのできる装置である。このような水量制御装置１００は、住宅に設置された風呂場や、温泉宿に代表される宿泊施設の宿泊部屋に設置された風呂場に適用することができるが、特に、後者に適用することが好ましい。水量制御装置１００を宿泊施設の宿泊部屋に設置された風呂場に適用することで、宿泊客により充実したサービスを簡単に提供することができ、宿泊客の満足度をより高めることができる。以下、これを例に、水量制御装置１００について説明する。
【００１８】
図１に示すように、温泉宿には、例えば、宿泊部屋に設置された浴槽２００と、温泉Ｈを供給する温泉用配管（供給経路）３１０と、冷水（上水）Ｃを供給する冷水用配管３２０と、が設けられている。
【００１９】
温泉用配管３１０は、湯口２１０に接続されており、湯口２１０から浴槽２００へ温泉Ｈが供給される。また、冷水用配管３２０は、その途中で、ミキシング弁４１０を介して温泉用配管３１０に接続されている。ミキシング弁４１０の開度（温泉Ｈへの冷水Ｃの混合量）を制御することで、湯口２１０から供給される温泉Ｈの温度調整が行われる。また、冷水用配管３２０は、その端部において温泉用配管３１０と接続されている。冷水用配管３２０の端部には、利用者が操作することのできる止水栓４３０が設けられている。また、温泉用配管３１０のミキシング弁４１０よりも湯口２１０側には、定流量弁４２０が設けられており、湯口２１０から供給される温泉Ｈの流量（単位時間当たりの供給量）がほぼ一定に維持される。また、温泉用配管３１０のミキシング弁４１０と定流量弁４２０との間には、弁（バルブ）４４０が設けられており、弁４４０を開くことで温泉Ｈが浴槽２００へ供給される。
【００２０】
水量制御装置１００は、弁４４０の開閉を制御する制御部１２０と、制御部１２０に所定の命令を送信する選択部１３０と、を有している。このような水量制御装置１００では、選択部１３０から送信された命令に従って、制御部１２０が弁４４０の開閉を制御することで、所定量の温泉Ｈが浴槽２００に供給されるようになっている。
【００２１】
また、水量制御装置１００は、浴槽２００に供給する温泉Ｈの量を２段階で設定できるようになっている。水量制御装置１００は、例えば、浴槽２００の７〜８割分程度の量を供給する湯張りモード（第１のモード）と、浴槽２００の２〜３割分程度の量を供給する足し湯モード（第２のモード）と、を有している。
【００２２】
制御部１２０は、タイマー１２１を有しており、タイマー１２１には、湯張りモードのときの弁開放時間（第１の時間）Ｔ１と、足し湯モードのときの弁開放時間（第２の時間）Ｔ２と、が記憶されている。そして、制御部１２０は、選択部１３０で湯張りモードが選択された場合には弁開放時間Ｔ１だけ弁４４０を開き、足し湯モードが選択された場合には弁開放時間Ｔ２だけ弁４４０を開く。これにより、比較的簡単な構成で、かつ、より精度よく、選択された量の温泉Ｈを浴槽２００に供給することができる。なお、制御部１２０は、さらに、ミキシング弁４１０を制御することで、湯張りモードで供給される温泉Ｈの温度よりも、足し湯モードで供給される温泉Ｈの温度を高くしてもよい。
【００２３】
ここで、弁開放時間Ｔ１、Ｔ２は、それぞれ、定流量弁４２０により設定された温泉Ｈの流量（単位時間当たりの供給量）と浴槽２００の形状（容量を含む）とに基づいて適宜設定する。例えば、タイマー１２１は、図２に示すように、弁開放時間Ｔ１を変更する変更手段１２２と、弁開放時間Ｔ２を変更する変更手段１２３と、を有しており、弁開放時間Ｔ１、Ｔ２を独立して調整できるようになっている。これにより、温泉Ｈの流量や浴槽２００の形状に応じて、簡単に弁開放時間Ｔ１、Ｔ２を調節することができる。なお、本実施形態の変更手段１２２、１２３は、それぞれ、回転式のダイヤルとなっているが、変更手段１２２、１２３の構成としては、それぞれ、特に限定されない。
【００２４】
選択部１３０は、図１に示すように、湯張りモードを選択するための湯張りボタン（操作部）１３１と、足し湯モードを選択するための足し湯ボタン（操作部）１３２と、を有している。また、湯張りボタン１３１は、客室に設けられており、足し湯ボタン１３２は、浴室（好ましくは、入浴者が浴槽２００に浸かったままで操作できる位置）に設けられている。
【００２５】
湯張りボタン１３１を一度押すと、湯張りモードが選択されて、制御部１２０が湯張りモードに対応した量の温泉Ｈを浴槽２００に供給する。なお、湯張りモードが選択されている間（制御部１２０が温泉Ｈを浴槽２００に供給している間）に、湯張りボタン１３１をもう一度押すと、湯張りモードがキャンセルされ、浴槽２００への温泉Ｈの供給が停止すると共に、タイマーがリセットされる。
【００２６】
同様に、足し湯ボタン１３２を一度押すと、足し湯モードが選択されて、制御部１２０が足し湯モードに対応した量の温泉Ｈを供給する。なお、足し湯モードが選択されている間（制御部１２０が温泉Ｈを浴槽２００に供給している間）に、足し湯ボタン１３２をもう一度押すと、足し湯モードがキャンセルされ、浴槽２００への温泉Ｈの供給が停止すると共に、タイマーがリセットされる。
【００２７】
このような選択部１３０は、図３に示すように、選択されたモードを報知する報知部１３５を有していてもよい。報知部１３５は、例えば、湯張りボタン１３１の近傍に設けられたランプ１３６と、足し湯ボタン１３２の近傍に設けられたランプ１３７と、を有している。そして、湯張りボタン１３１を押して、湯張りモードを選択すれば、ランプ１３６が点灯または点滅し、足し湯ボタン１３２を押して、足し湯モードを選択すれば、ランプ１３７が点灯または点滅するようになっている。なお、報知部１３５の構成としては、これに限定されず、例えば、音声によって選択されたモードを報知してもよい。
【００２８】
以上、選択部１３０について説明したが、湯張りボタン１３１および足し湯ボタン１３２の配置は、それぞれ、特に限定されない。例えば、湯張りボタン１３１および足し湯ボタン１３２が共に浴室に配置されていてもよい。また、湯張りボタン１３１と足し湯ボタン１３２とを独立して設ける必要もなく、例えば、１つのボタンで湯張りモードと足し湯モードを選択することができる構成となっていてもよい。また、近年、スマートフォン等の携帯端末に専用のプログラムをインストールし、前記プログラムを用いて携帯端末をコントローラーとして用いる技術が盛んに用いられている。そのため、このようなシステムを選択部１３０に適用してもよい。これにより、部屋に選択部１３０を設ける必要がなくなる。
以上、水量制御装置１００の構成について説明した。
【００２９】
次に、水量制御装置１００の操作方法について簡単に説明する。
湯張りボタン１３１を押し、所定量（浴槽２００の８割分程度）の温泉Ｈを浴槽２００に供給することで、湯張りが完了する。前述したように、湯張りボタン１３１が客室内に配置されているため、操作の煩わしさを低減することができる。なお、入浴時に浴槽２００内の温泉Ｈの温度を低くしたい場合には入浴者自身で止水栓４３０を開き、冷水Ｃを浴槽２００へ供給すればよい。反対に、入浴時に浴槽２００内の温泉Ｈの温度を高くしたい場合には足し湯ボタン１３２を押し、温泉Ｈを浴槽２００内へ供給すればよい。前述したように、足し湯ボタン１３２は、浴室内に配置されているため、浴槽２００に浸かりながらでも操作することができ、操作の煩わしさを低減することができる。なお、足し湯モードを選択する前に、浴槽２００から温泉Ｈをある程度排出しておくことで、浴槽２００から温泉Ｈがあふれず、また、効率的に浴槽２００内の温泉Ｈの温度を高めることができる。
【００３０】
以上、本考案の水量制御装置について、図示の実施形態に基づいて説明したが、本考案はこれに限定されるものではなく、各部の構成は、同様の機能を有する任意の構成のものに置換することができる。
【符号の説明】
【００３１】
１００      水量制御装置
１１０      弁
１２０      制御部
１２１      タイマー
１２２      変更手段
１２３      変更手段
１３０      選択部
１３１      湯張りボタン
１３２      足し湯ボタン
１３５      報知部
１３６      ランプ
１３７      ランプ
２００      浴槽
２１０      湯口
３１０      温泉用配管
３２０      冷水用配管
４１０      ミキシング弁
４２０      定流量弁
４３０      止水栓
４４０      弁
Ｃ          冷水
Ｈ          温泉
Ｔ１        弁開放時間
Ｔ２        弁開放時間
【図１】
0003197152.tif 000003
【図２】
0003197152.tif 000004
【図３】
0003197152.tif 000005